【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
電荷輸送性モノマーまたは数平均分子量２００〜５０万の電荷輸送性オリゴマーもしくはポリマーからなる電荷輸送物質、またはこの電荷輸送物質およびドーパント物質からなる電荷輸送性材料と、少なくとも１種の良溶媒および少なくとも１種の貧溶媒を含んで構成される混合溶媒と、を含有し、
前記良溶媒および貧溶媒の沸点差ΔＴ℃の絶対値が、｜ΔＴ｜＜２０℃（ただし、ΔＴ＝０となる組み合わせは除く）を満たし、
２５℃での粘度が６．９ｍＰａ・ｓ以下、かつ、２３℃での表面張力が３０．０〜４０．０ｍＮ／ｍであり、
前記電荷輸送性材料が、前記混合溶媒中に溶解または均一に分散していることを特徴とする電荷輸送性ワニス。
【請求項２】
前記良溶媒および貧溶媒の沸点差ΔＴ℃の絶対値が、３．１℃≦｜ΔＴ｜＜２０℃を満たす請求項１記載の電荷輸送性ワニス。
【請求項３】
前記良溶媒が、Ｎ−メチルホルムアミド、Ｎ，Ｎ−ジメチルホルムアミド、Ｎ，Ｎ−ジエチルホルムアミド、Ｎ−メチルアセトアミド、Ｎ，Ｎ−ジメチルアセトアミド、Ｎ−メチルプロピオンアミド、Ｎ−メチルピロリドン、１，３−ジメチル−２−イミダゾリジノン、りん酸トリメチル、りん酸トリエチル、ジエチレングリコール、およびトリエチレングリコールから選ばれる少なくとも１種である請求項１または２記載の電荷輸送性ワニス。
【請求項４】
前記貧溶媒が、エチレングリコール、プロピレングリコール、ジプロピレングリコール、ヘキシレングリコール、１，２−ブタンジオール、２，３−ブタンジオール、１，３−ブタンジオール、１，４−ブタンジオール、１，５−ペンタンジオール、オクチレングリコール、グリセリン、エチレングリコールモノメチルエーテル、エチレングリコールモノメチルエーテルアセテート、エチレングリコールモノエチルエーテル、エチレングリコールジエチルエーテル、エチレングリコールイソプロピルエーテル、エチレングリコールモノブチルエーテル、エチレングリコールジブチルエーテル、エチレングリコールモノブチルエーテルアセテート、エチレングリコールベンジルエーテル、エチレングリコールモノヘキシルエーテル、２−メトキシエタノール、エチレングリコールモノアセテート、エチレングリコールモノイソブチルエーテル、エチレングリコールモノエチルエーテルアセテート、エチレングリコールジアセテート、ジエチレングリコールモノメチルエーテルアセテート、ジエチレングリコールモノエチルエーテル、ジエチレングリコールモノエチルエーテルアセテート、ジエチレングリコールモノブチルエーテル、ジエチレングリコールモノブチルエーテルアセテート、ジエチレングリコールジメチルエーテル、ジエチレングリコールメチルエチルエーテル、ジエチレングリコールジエチルエーテル、ジエチレングリコールジブチルエーテル、ジエチレングリコールモノフェニルエーテル、トリエチレングリコールモノメチルエーテル、トリエチレングリコールモノエチルエーテル、トリエチレングリコールジメチルエーテル、テトラエチレングリコール、ポリエチレングリコール、プロピレングリコールモノメチルエーテル、プロピレングリコールモノエチルエーテル、プロピレングリコールモノプロピルエーテル、プロピレングリコールモノブチルエーテル、プロピレングリコールモノフェニルエーテル、プロピレングリコールモノメチルエーテルアセテート、１−ブトキシエトキシプロパノール、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノメチルエーテル、トリメチレングリコール、メタノール、エタノール、１−プロパノール、２−プロパノール、１−ブタノール、２−ブタノール、１−ペンタノール、１−ヘキサノール、１−ヘプタノール、１−ノナノール、１−デカノール、１−ウンデカノール、１−ドデカノール、１−テトラデカノール、ベンジルアルコール、シクロヘキサノール、２−メチルシクロヘキサノール、グリシドール、フルフリルアルコール、テトラヒドロフルフリルアルコール、ジアセトンアルコール、２−エチルヘキサノール、２−フェノキシエタノール、α−テルピネオール、エチルエーテル、イソプロピルエーテル、ジ−ｎ−ブチルエーテル、ジ−ｎ−ヘキシルエーテル、アニソール、エチルフェニルエーテル、ｎ−ブチルフェニルエーテル、ベンジルイソアミルエーテル、ｏ−クレジルメチルエーテル、ｍ−クレジルメチルエーテル、ｐ−クレジルメチルエーテル、エチルベンジルエーテル、ジグリシ���ルエーテル、１，４−ジオキサン、トリオキサン、フルフラール、２−メチルフラン、テトラヒドロフラン、テトラヒドロピラン、シオネール、メチラール、ジエチルアセタール、ギ酸プロピル、ギ酸ｎ−ブチル、ギ酸イソブチル、酢酸メチル、酢酸エチル、酢酸ｎ−プロピル、酢酸イソプロピル、酢酸ｎ−ブチル、酢酸イソブチル、酢酸第二ブチル、酢酸ｎ−アミル、酢酸イソアミル、酢酸メチルイソアミル、ｎ−ヘキシルアセテート、酢酸第二ヘキシル、酢酸２−エチルブチル、酢酸２−エチルヘキシル、酢酸シクロヘキシル、酢酸メチルシクロヘキシル、酢酸ベンジル、プロピオン酸メチル、プロピオン酸エチル、プロピオン酸ｎ−ブチル、プロピオン酸イソアミル、酪酸メチル、酪酸エチル、酪酸ｎ−ブチル、酪酸イソアミル、オキシイソ酪酸エチル、ステアリン酸ブチル、ステアリン酸アミル、アセト酪酸メチル、アセト酪酸エチル、イソ吉草酸イソアミル、乳酸メチル、乳酸エチル、乳酸ｎ−ブチル、乳酸イソブチル、乳酸ｎ−アミル、乳酸イソアミル、安息香酸メチル、安息香酸エチル、安息香酸プロピル、安息香酸ブチル、安息香酸イソアミル、安息香酸ベンジル、サリチル酸メチル、シュウ酸ジエチル、シュウ酸ジブチル、シュウ酸ジアミル、マロン酸ジエチル、クエン酸トリブチル、セバチン酸ジオクチル、フタル酸ジメチル、フタル酸ジエチル、フタル酸ジ−ｎ−ブチル、フタル酸ジ−２−エチルヘキシル、フタル酸ジ−ｎ−オクチル、メチルエチルケトン、メチル−ｎ−プロピルケトン、メチル−ｎ−ブチルケトン、メチルイソブチルケトン、メチル−ｎ−アミルケトン、メチル−ｎ−ヘキシルケトン、ジエチルケトン、エチル−ｎ−ブチルケトン、ジ−ｎ−プロピルケトン、ジイソブチルケトン、２，６，８−トリメチルノナン−４−オン、アセトニルアセトン、メシチルオキシド、ホロン、イソホロン、シクロヘキサノン、メチルシクロヘキサノン、アセトフェノン、２−エチルヘキサン酸、オレイン酸、乳酸、フェノール、ｏ−クレゾール、ｍ−クレゾール、ｐ−クレゾール、キシレノール、ヘプタン、オクタン、２，２，３−トリメチルヘキサン、デカン、ドデカン、トルエン、キシレン、ｏ−キシレン、ｍ−キシレン、ｐ−キシレン、クメン、メシチレン、テトラリン、ｐ−シメン、シクロヘキシルベンゼン、ジエチルベンゼン、ペンチルベンゼン、ジペンチルベンゼン、ドデシルベンゼン、シクロヘキサン、メチルシクロヘキサン、エチルシクロヘキサン、ｐ−メンタン、ビシクロヘキセン、α−ピネン、およびジペンテンから選ばれる少なくとも１種である請求項１〜３のいずれか１項記載の電荷輸送性ワニス。
【請求項５】
前記良溶媒および前記貧溶媒の組み合わせが、Ｎ，Ｎ−ジメチルアセトアミドと２，３−ブタンジオール、Ｎ，Ｎ−ジメチルアセトアミドとシクロヘキサノール、Ｎ，Ｎ−ジメチルアセトアミドとジエチレングリコールジメチルエーテル、Ｎ，Ｎ−ジメチルアセトアミドとｎ−ヘキシルアセテート、Ｎ，Ｎ−ジメチルアセトアミドとエチレングリコールモノエチルエーテルアセテート、１，３−ジメチル−２−イミダゾリジノンとジエチレングリコールモノブチルエーテル、１，３−ジメチル−２−イミダゾリジノンとジエチレングリコールモノエチルエーテルアセテート、１，３−ジメチル−２−イミダゾリジノンとトリエチレングリコールジメチルエーテル、１，３−ジメチル−２−イミダゾリジノンと２−フェノキシエタノール、１，３−ジメチル−２−イミダゾリジノンと１，３−ブタンジオール、１，３−ジメチル−２−イミダゾリジノンとトリプロピレングリコールモノメチルエーテル、１，３−ジメチル−２−イミダゾリジノンとエチレングリコールモノヘキシルエーテル、Ｎ−メチルピロリドンとジエチレングリコールジエチルエーテル、Ｎ−メチルピロリドンとジエチレングリコールモノエチルエーテルアセテート、Ｎ−メチルピロリドンとトリエチレングリコールジメチルエーテル、Ｎ−メチルピロリドンと１，３−ブタンジオール、Ｎ−メチルピロリドンとエチレングリコールモノヘキシルエーテル、Ｎ−メチルピロリドンとジエチレングリコールモノエチルエーテル、Ｎ，Ｎ−ジメチルアセトアミドと２，３−ブタンジオールとエチレングリコールモノエチルエーテルアセテート、Ｎ，Ｎ−ジメチルアセトアミドと２，３−ブタンジオールとシクロヘキサノール、Ｎ，Ｎ−ジメチルアセトアミドと２，３−ブタンジオールとジエチレングリコールジメチルエーテル、Ｎ，Ｎ−ジメチルアセトアミドと２，３−ブタンジオールとｎ−ヘキシルアセテート、Ｎ，Ｎ−ジメチルアセトアミドとシクロヘキサノールとジエチレングリコールジメチルエーテル、Ｎ，Ｎ−ジメチルアセトアミドとシクロヘキサノールとｎ−ヘキシルアセテート、Ｎ，Ｎ−ジメチルアセトアミドとシクロヘキサノールとエチレングリコールモノエチルエーテルアセテート、Ｎ，Ｎ−ジメチルアセトアミドとジエチレングリコールジメチルエーテルとｎ−ヘキシルアセテート、Ｎ，Ｎ−ジメチルアセトアミドとジエチレングリコールジメチルエーテルとエチレングリコールモノエチルエーテルアセテート、Ｎ，Ｎ−ジメチルアセトアミドとｎ−ヘキシルアセテートとエチレングリコールモノエチルエーテルアセテート、１，３−ジメチル−２−イミダゾリジノンとジエチレングリコールモノエチルエーテルアセテートと２−フェノキシエタノール、１，３−ジメチル−２−イミダゾリジノンとジエチレングリコールモノブチルエーテルとジエチレングリコールモノエチルエーテルアセテート、１，３−ジメチル−２−イミダゾリジノンとジエチレングリコールモノブチルエーテルとトリエチレングリコールジメチルエーテル、１，３−ジメチル−２−イミダゾリジノンとジエチレングリコールモノブチルエーテルと２−フェノキシエタノール、１，３−ジメチル−２−イミダゾリジノンとジエチレングリコールモノブチルエーテルと１，３−ブタンジオール、１，３−ジメチル−２−イミダゾリジノンとジエチレングリコールモノブチルエーテルとトリプロピレングリコールモノメチルエーテル、１，３−ジメチル−２−イミダゾリジノンとジエチレングリコールモノブチルエーテルとエチレングリコールモノヘキシルエーテル、１，３−ジメチル−２−イミダゾリジノンとジエチレングリコールモノエチルエーテルアセテートとトリエチレングリコールジメチルエーテル、１，３−ジメチル−２−イミダゾリジノンとジエチレングリコールモノエチルエーテルアセテートと１，３−ブタンジオール、１，３−ジメチル−２−イミダゾリジノンとジエチレングリコールモノエチルエーテルアセテートとトリプロピレングリコールモノメチルエーテル、１，３−ジメチル−２−イミダゾリジノンとジエチレングリコールモノエチルエーテルアセテートとエチレングリコールモノヘキシルエーテル、１，３−ジメチル−２−イミダゾリジノンとトリエチレングリコールジメチルエーテルと２−フェノキシエタノール、１，３−ジメチル−２−イミダゾリジノンとトリエチレングリコールジメチルエーテルと１，３−ブタンジオール、１，３−ジメチル−２−イミダゾリジノンとトリエチレングリコールジメチルエーテルとトリプロピレングリコールモノメチルエーテル、１，３−ジメチル−２−イミダゾリジノンとトリエチレングリコールジメチルエーテルとエチレングリコールモノヘキシルエーテル、１，３−ジメチル−２−イミダゾリジノンと２−フェノキシエタノールと１，３−ブタンジオール、１，３−ジメチル−２−イミダゾリジノンと２−フェノキシエタノールとトリプロピレングリコールモノメチルエーテル、１，３−ジメチル−２−イミダゾリジノンと２−フェノキシエタノールとエチレングリコールモノヘキシルエーテル、１，３−ジメチル−２−イミダゾリジノンと１，３−ブタンジオールとトリプロピレングリコールモノメチルエーテル、１，３−ジメチル−２−イミダゾリジノンと１，３−ブタンジオールとエチレングリコールモノヘキシルエーテル、１，３−ジメチル−２−イミダゾリジノンとトリプロピレングリコールモノメチルエーテルとエチレングリコールモノヘキシルエーテル、Ｎ−メチルピロリドンとジエチレングリコールモノエチルエーテルアセテートとジエチレングリコールジエチルエーテル、Ｎ−メチルピロリドンとジエチレングリコールモノエチルエーテルアセテートとトリエチレングリコールジメチルエーテル、Ｎ−メチルピロリドンとジエチレングリコールモノエチルエーテルアセテートと１，３−ブタンジオール、Ｎ−メチルピロリドンとジエチレングリコールモノエチルエーテルアセテートとエチレングリコールモノヘキシルエーテル、Ｎ−メチルピロリドンとジエチレングリコールモノエチルエーテルアセテートとジエチレングリコールモノエチルエーテル、Ｎ−メチルピロリドンとジエチレングリコールジエチルエーテルとトリエチレングリコールジメチルエーテル、Ｎ−メチルピロリドンとジエチレングリコールジエチルエーテルと１，３−ブタンジオール、Ｎ−メチルピロリドンとジエチレングリコールジエチルエーテルとエチレングリコールモノヘキシルエーテル、Ｎ−メチルピロリドンとジエチレングリコールジエチルエーテルとジエチレングリコールモノエチルエーテル、Ｎ−メチルピロリドンとトリエチレングリコールジメチルエーテルと１，３−ブタンジオール、Ｎ−メチルピロリドンとトリエチレングリコールジメチルエーテルとエチレングリコールモノヘキシルエーテル、Ｎ−メチルピロリドンとトリエチレングリコールジメチルエーテルとジエチレングリコールモノエチルエーテル、Ｎ−メチルピロリドンと１，３−ブタンジオールとエチレングリコールモノヘキシルエーテル、Ｎ−メチルピロリドンと１，３−ブタンジオールとジエチレングリコールモノエチルエーテル、Ｎ−メチルピロリドンとエチレングリコールモノヘキシルエーテルとジエチレングリコールモノエチルエーテルである請求項１〜４のいずれか１項記載の電荷輸送性ワニス。
【請求項６】
前記電荷輸送物質が、式（１）で表されるオリゴアニリン誘導体、または式（１）の酸化体であるキノンジイミン誘導体である請求項１〜５のいずれか１項記載の電荷輸送性ワニス。
【化１】
2018014513.tif 000001
（式中、Ｒ1、Ｒ2およびＲ3は、それぞれ独立して、水素原子、ハロゲン原子、水酸基、アミノ基、シラノール基、チオール基、カルボキシル基、りん酸基、りん酸エステル基、エステル基、チオエステル基、アミド基、ニトロ基、一価炭化水素基、オルガノオキシ基、オルガノアミノ基、オルガノシリル基、オルガノチオ基、アシル基またはスルホン酸基を示し、ＡおよびＢは、それぞれ独立して下記式（２）または（３）
【化２】
2018014513.tif 000002
で表される２価の基であり、Ｒ4〜Ｒ11はそれぞれ独立して、水素原子、ハロゲン原子、水酸基、アミノ基、シラノール基、チオール基、カルボキシル基、りん酸基、りん酸エステル基、エステル基、チオエステル基、アミド基、ニトロ基、一価炭化水素基、オルガノオキシ基、オルガノアミノ基、オルガノシリル基、オルガノチオ基、アシル基またはスルホン酸基を示し、ｍおよびｎはそれぞれ独立に１以上の整数で、ｍ＋ｎ≦２０を満足する。）
【請求項７】
スリットコート塗布用である請求項１〜６のいずれか１項記載の電荷輸送性ワニス。
【請求項８】
請求項１〜７のいずれか１項記載の電荷輸送性ワニスから作製された電荷輸送性薄膜。
【請求項９】
請求項８記載の電荷輸送性薄膜を備える有機エレクトロルミネッセンス素子。
【請求項１０】
前記電荷輸送性薄膜が、正孔注入層または正孔輸送層である請求項９記載の有機エレクトロルミネッセンス素子。
【請求項１１】
請求項１〜７のいずれか１項記載の電荷輸送性ワニスを用いる電荷輸送性薄膜の作製方法。
【請求項１２】
電荷輸送性モノマーまたは数平均分子量２００〜５０万の電荷輸送性オリゴマーもしくはポリマーからなる電荷輸送物質、またはこの電荷輸送物質および電荷受容性ドーパント物質からなる電荷輸送性材料と、溶媒とを含む電荷輸送性ワニスを用いて作製される電荷輸送性薄膜の平坦性向上方法であって、
前記溶媒として、少なくとも１種の良溶媒および少なくとも１種の貧溶媒を含んで構成される混合溶媒を用いるとともに、これら良溶媒および貧溶媒の沸点差ΔＴ℃の絶対値を｜ΔＴ｜＜２０℃（ただし、ΔＴ＝０となる組み合わせは除く）とし、
前記電荷輸送性ワニスの２５℃での粘度を６．９ｍＰａ・ｓ以下とし、かつ、前記電荷輸送性ワニスの２３℃での表面張力を３０．０〜４０．０ｍＮ／ｍとすることを特徴とする電荷輸送性薄膜の平坦性向上方法。
【請求項１３】
前記沸点差ΔＴ℃の絶対値を３．１℃≦｜ΔＴ｜＜２０℃とする請求項１２記載の平坦性向上方法。